(57)【要約】【課題】複数の発光素子列からの波長の異なる出射光を、光混合部品を用いて混合させて感光材料に露光を行う画像露光装置において、感光材料への露光の際における混色を防いて画質低下を防止するとともに、光選択膜を光混合部品の内部に設ける際の労力及びコストを格段に低減させる。【解決手段】相互に波長の異なる第１〜第３光を各々出射する複数の発光素子列２１〜２３と、第１〜第３光を受けてライン状の出射光を形成する光混合手段３０と、を備える画像露光装置において、光混合手段３０は、波長に応じて光を選択的に透過または反射させる第１光選択膜３５及び第２光選択膜３７を備える。そして、第１〜第３光の波長領域から、第１光選択膜３５及び／又は第２光選択膜３７においてＰ偏光が透過から反射へ切り替わる際の波長とＳ偏光が透過から反射へ切り替わる際の波長との差異領域に含まれる波長領域をカットする波長変更手段を備える。【選択図】        図３
2004309899.tif 000002
【特許請求の範囲】
【請求項１】
相互に波長の異なる第１、第２及び第３光を各々出射する第１、第２及び第３発光素子列と、前記第１、第２及び第３光を受けてライン状の出射光を形成する光混合手段と、前記出射光を感光材料に集束させる光集束手段と、を備える画像露光装置において、
前記光混合手段は、
前記第１、第２及び第３光を各々受ける第１、第２及び第３透明部材を、前記第１光を透過させるとともに透過させた前記第１光と同じ方向に前記第２光を反射させる第１光選択膜を有する第１接合面と、前記第１光選択膜を経由した前記第１及び第２光を透過させるとともに透過させた前記第１及び第２光と同じ方向に前記第３光を反射させる第２光選択膜を有する第２接合面と、を介して接合したものであって、前記第２光選択膜を経由した３種類の光を混合して前記出射光を形成し、
第１、第２及び第３光の波長領域から、前記第１光選択膜及び／又は前記第２光選択膜においてＰ偏光が透過から反射へ切り替わる際の波長とＳ偏光が透過から反射へ切り替わる際の波長との差異領域に含まれる波長領域をカットする波長変更手段を備えることを特徴とする画像露光装置。
【請求項２】
前記波長変更手段は、
前記光混合手段と前記光集束手段との間に配置される出射光波長変更手段であることを特徴とする請求項１に記載の画像露光装置。
【請求項３】
前記出射光波長変更手段は、
前記光混合手段の出射面に露出させて設けられる光選択膜であることを特徴とする請求項２に記載の画像露光装置。
【請求項４】
前記出射光波長変更手段は、
前記光混合手段の出射面に設けられる吸収フィルタであることを特徴とする請求項２に記載の画像露光装置。
【請求項５】
前記波長変更手段は、
前記光集束手段と前記感光材料の間に配置される出射光波長変更手段であることを特徴とする請求項１に記載の画像露光装置。
【請求項６】
前記出射光波長変更手段は、
前記光集束手段の出射面に露出させて設けられる光選択膜であることを特徴とする請求項５に記載の画像露光装置。
【請求項７】
前記出射光波長変更手段は、
前記光集束手段の出射面に設けられる吸収フィルタであることを特徴とする請求項５に記載の画像露光装置。
【請求項８】
前記波長変更手段は、
前記第１発光素子列と前記第１透明部材との間に配置される第１入射光波長変更手段と、
前記第２発光素子列と前記第２透明部材との間に配置される第２入射光波長変更手段と、
前記第３発光素子列と前記第３透明部材との間に配置される第３入射光波長変更手段と、
の少なくとも一からなることを特徴とする請求項１に記載の画像露光装置。
【請求項９】
前記第１、第２及び第３入射光波長変更手段は、
前記第１、第２及び第３発光素子列の出射面に露出させて設けられる光選択膜であることを特徴とする請求項８に記載の画像露光装置。
【請求項１０】
前記第１、第２及び第３入射光波長変更手段は、
前記第１、第２及び第３発光素子列の出射面に設けられる吸収フィルタであることを特徴とする請求項８に記載の画像露光装置。
【請求項１１】
前記第１、第２及び第３入射光波長変更手段は、
前記第１、第２及び第３透明部材の表面に露出させて設けられる光選択膜であることを特徴とする請求項８に記載の画像露光装置。
【請求項１２】
前記第１、第２及び第３入射光波長変更手段は、
前記第１、第２及び第３透明部材の表面に設けられる吸収フィルタであることを特徴とする請求項８に記載の画像露光装置。
【請求項１３】
前記第１光は赤色光であり、
前記第２光は青色光であり、
前記第３光は緑色光であることを特徴とする請求項１から１２の何れか一項に記載の画像露光装置。
【発明の詳細な説明】
【０００１】
【発明の属する技術分野】
本発明は、画像露光装置に関する。特に、複数の発光素子から出射される波長の異なる光を用いて感光材料に露光を行う画像露光装置に関する。
【０００２】
【従来の技術】
近年、複数の発光素子からなるアレイ光源を記録色ごとに備え、印画紙などの感光材料に露光を行う画像露光装置が提案され、実用化されている。図９は、従来の画像露光装置を用いて露光を行う様子を示す説明図である。この画像露光装置は、印画紙１００に対して露光を行うために、印画紙１００とほぼ同じ幅を有する３つのアレイ光源２１０、２２０、２３０を備えている。
【０００３】
これら３つのアレイ光源２１０、２２０、２３０は、各々Ｒ、Ｇ、Ｂの各記録色に応じて発光するものである。印画紙１００が図中の矢印方向に搬送されているときには、アレイ光源２１０、２２０、２３０の各々を、印画紙１００の搬送速度に応じてタイミングをずらして駆動することによって、印画紙１００の同一位置にＲ、Ｇ、Ｂの露光を施していた。
【０００４】
前記したようにアレイ光源２１０、２２０、２３０の各々を、印画紙１００の搬送速度に応じてタイミングをずらして駆動を行う場合には、各アレイ光源に供給する駆動信号のタイミングを搬送速度に応じてずらす必要がある。このため、駆動回路の構成やタイミング制御が複雑となるという問題があった。また、ある記録色の露光を行った後に、同一画素についての他の色の露光を行うまでの間に搬送速度にムラが生じると、色ずれが生じることになる。従って、色ずれを防止するためには、印画紙１００の搬送速度を厳密に管理する必要があった。
【０００５】
このような問題を解決するため、波長に応じて光を選択的に透過または反射させる光選択膜を備えたダイクロイックプリズム３００のような光混合部品を用いて、各アレイ光源からのアレイ状の出射光を混合するという手法が提案されている（例えば、特許文献１参照。）。図１０は、ダイクロイックプリズム３００によって光混合を行う場合の様子を示す模式図である。
【０００６】
ダイクロイックプリズム３００は、光学ガラスで調製された第１透明部材３１０、第２透明部材３２０及び第３透明部材３３０によって構成されている。第１透明部材３１０と第２透明部材３２０との間には、光の波長に応じて選択的に透過あるいは反射する第１光選択膜３４０が設けられている。同様に、第２透明部材３２０と第３透明部材３３０との間には、光の波長に応じて選択的に透過あるいは反射する第２光選択膜３５０が設けられている。
【０００７】
このようなダイクロイックプリズム３００を使用すると、アレイ光源２１０から出射されるライン状の出射光は、第１透明部材３１０、第１光選択膜３４０、第２透明部材３２０、第２光選択膜３５０及び第３透明部材３３０を順次透過して出射する。また、アレイ光源２２０からのライン状の出射光は、第２透明部材３２０を透過し第１光選択膜３４０で反射して第２光選択膜３５０及び第３透明部材３３０を順次透過して出射する。さらに、アレイ光源２３０からのライン状の出射光は、第３透明部材３３０を透過し第２光選択膜３５０で反射して出射する。以上のような経路を経て、アレイ光源２１０、２２０、２３０のライン状の各出射光は１ラインにまとめられることとなる。
【０００８】
【特許文献１】
特開２０００−６４６９号公報（第２頁、第９図）
【０００９】
【発明が解決しようとする課題】
ところで、アレイ光源からの出射光にＰ偏光とＳ偏光とが入り混じっている場合には、Ｐ偏光が透過から反射へ切り替わる際の波長と、Ｓ偏光が透過から反射へ切り替わる際の波長とに差異が生じ易く、かかる差異が生じるとＰ偏光とＳ偏光とが平均化され、透過と反射との中間の状態（半透過・半反射）が生じる。
【００１０】
このようなＰ偏光とＳ偏光とが平均化される波長領域（以下、「中間領域」という）は、本来の分光特性を得ることができない領域を意味する。この中間領域が、例えば青色光と緑色光とが混在する波長領域内に存在する場合には、感光材料への露光の際に混色を引き起こし、画質が低下してしまう場合がある。このような混色による画質低下を防止するためには、中間領域の光の一部を吸収して、中間領域を青色光又は緑色光の波長領域にシフトさせる必要がある。
【００１１】
ここで、中間領域の光の一部を吸収するには、前記した第１光選択膜３４０又は第２光選択膜３５０の層構成を調整する必要がある。しかし、これら第１光選択膜３４０及び第２光選択膜３５０は透明部材に挟まれた部位に設けられるため、前記した中間領域の光の一部を吸収するような光選択膜を構成しようとすると接合面の層構成が複雑になるので、多大な労力及びコストがかかるという問題があった。
【００１２】
本発明の課題は、複数の発光素子列からの波長の異なる出射光を光混合部品を用いて混合させて感光材料に露光を行う画像露光装置において、感光材料への露光の際における混色を防いて画質低下を防止するとともに、光選択膜を光混合部品の内部に設ける際の労力及びコストを格段に低減させることである。
【００１３】
【課題を解決するための手段】
以上の課題を解決するため、請求項１に記載の発明は、
相互に波長の異なる第１、第２及び第３光を各々出射する第１、第２及び第３発光素子列と、前記第１、第２及び第３光を受けてライン状の出射光を形成する光混合手段と、前記出射光を感光材料に集束させる光集束手段と、を備える画像露光装置において、
前記光混合手段は、
前記第１、第２及び第３光を各々受ける第１、第２及び第３透明部材を、前記第１光を透過させるとともに透過させた前記第１光と同じ方向に前記第２光を反射させる第１光選択膜を有する第１接合面と、前記第１光選択膜を経由した前記第１及び第２光を透過させるとともに透過させた前記第１及び第２光と同じ方向に前記第３光を反射させる第２光選択膜を有する第２接合面と、を介して接合したものであって、前記第２光選択膜を経由した３種類の光を混合して前記出射光を形成し、
第１、第２及び第３光の波長領域から、前記第１光選択膜及び／又は前記第２光選択膜においてＰ偏光が透過から反射へ切り替わる際の波長とＳ偏光が透過から反射へ切り替わる際の波長との差異領域に含まれる波長領域をカットする波長変更手段を備えることを特徴とする。
【００１４】
請求項１に記載の発明によれば、波長変更手段により、第１、第２及び第３光の波長領域から、前記した差異領域（第１光選択膜及び／又は第２光選択膜においてＰ偏光が透過から反射へ切り替わる際の波長とＳ偏光が透過から反射へ切り替わる際の波長との差異領域）に含まれる波長領域をカットすることができるので、感光材料への露光の際における混色を防ぎ、画質低下を防止することができる。また、波長変更手段を採用することにより、光混合手段の内部に複雑な層構成を有する光選択膜を設ける必要がなくなる。この結果、光選択膜を設けるための労力及びコストを低減させることができる。
【００１５】
請求項２に記載の発明は、請求項１に記載の画像露光装置において、
前記波長変更手段は、
前記光混合手段と前記光集束手段との間に配置される出射光波長変更手段であることを特徴とする。
【００１６】
請求項２に記載の発明によれば、波長変更手段として、光混合手段と光集束手段との間に配置される出射光波長変更手段を採用しており、この出射光波長変更手段は、光混合手段と光集束手段との間の空間に配置されるため、構成の自由度がきわめて高く、特性を自在に調整することができる。
【００１７】
従って、第１光選択膜及び／又は第２光選択膜においてＰ偏光が透過から反射へ切り替わる際の波長とＳ偏光が透過から反射へ切り替わる際の波長との差異領域（中間領域）が、第１光選択膜及び／又は第２光選択膜の層構成によって変動した場合でも、その差異領域（中間領域）の変動に対応させた出射光波長変更手段を容易に設けることができ、感光材料への露光の際における混色を防止して画質低下を防ぐことができる。
【００１８】
請求項３に記載の発明は、請求項２に記載の画像露光装置において、
前記出射光波長変更手段は、
前記光混合手段の出射面に露出させて設けられる光選択膜であることを特徴とする。
【００１９】
請求項３に記載の発明によれば、出射光波長変更手段として、光混合手段の出射面に露出させて設けられる光選択膜を採用しており、この光選択膜は空気との界面を有するため、所望の特性を有する層構成を得るための労力を省くことができる。また、第１光選択膜及び／又は第２光選択膜の層構成に起因して前記差異領域が変動した場合においても、その差異領域の変動に対応させた光選択膜を容易に設けることができ、感光材料への露光の際における混色を防止して画質低下を防ぐことができる。
【００２０】
請求項４に記載の発明は、請求項２に記載の画像露光装置において、
前記出射光波長変更手段は、
前記光混合手段の出射面に設けられる吸収フィルタであることを特徴とする。
【００２１】
請求項４に記載の発明によれば、出射光波長変更手段として、光混合手段の出射面に設けられる吸収フィルタを採用している。従って、第１光選択膜及び／又は第２光選択膜の層構成に起因して前記差異領域が変動した場合においても、その差異領域の変動に対応させた吸収フィルタを採用するだけでよいので、感光材料への露光の際における混色の防止をきわめて安価に実現することができる。
【００２２】
請求項５に記載の発明は、請求項１に記載の画像露光装置において、
前記波長変更手段は、
前記光集束手段と前記感光材料の間に配置される出射光波長変更手段であることを特徴とする。
【００２３】
請求項５に記載の発明によれば、波長変更手段として、光集束手段と感光材料との間に配置される出射光波長変更手段を採用しており、この出射光波長変更手段は、光集束手段と感光材料との間の空間に配置されるため、構成の自由度がきわめて高く、特性を自在に調整することができる。
【００２４】
従って、第１光選択膜及び／又は第２光選択膜においてＰ偏光が透過から反射へ切り替わる際の波長とＳ偏光が透過から反射へ切り替わる際の波長との差異領域（中間領域）が、第１光選択膜及び／又は第２光選択膜の層構成によって変動した場合でも、その差異領域（中間領域）の変動に対応させた出射光波長変更手段を容易に設けることができ、感光材料への露光の際における混色を防止して画質低下を防ぐことができる。
【００２５】
請求項６に記載の発明は、請求項５に記載の画像露光装置において、
前記出射光波長変更手段は、
前記光集束手段の出射面に露出させて設けられる光選択膜であることを特徴とする。
【００２６】
請求項６に記載の発明によれば、出射光波長変更手段として、光集束手段の出射面に露出させて設けられる光選択膜を採用しており、この光選択膜は空気との界面を有するため、所望の特性を有する層構成を得るための労力を省くことができる。また、第１光選択膜及び／又は第２光選択膜の層構成に起因して前記差異領域が変動した場合においても、その差異領域の変動に対応させた光選択膜を容易に設けることができ、感光材料への露光の際における混色を防止して画質低下を防ぐことができる。
【００２７】
請求項７に記載の発明は、請求項５に記載の画像露光装置において、
前記出射光波長変更手段は、
前記光集束手段の出射面に設けられる吸収フィルタであることを特徴とする。
【００２８】
請求項７に記載の発明によれば、出射光波長変更手段として、光集束手段の出射面に設けられる吸収フィルタを採用している。従って、第１光選択膜及び／又は第２光選択膜の層構成に起因して前記差異領域が変動した場合においても、その差異領域の変動に対応させた吸収フィルタを採用するだけでよいので、感光材料への露光の際における混色の防止をきわめて安価に実現することができる。
【００２９】
請求項８に記載の発明は、請求項１に記載の画像露光装置において、
前記波長変更手段は、
前記第１発光素子列と前記第１透明部材との間に配置される第１入射光波長変更手段と、
前記第２発光素子列と前記第２透明部材との間に配置される第２入射光波長変更手段と、
前記第３発光素子列と前記第３透明部材との間に配置される第３入射光波長変更手段と、
の少なくとも一を備えることを特徴とする。
【００３０】
請求項８に記載の発明によれば、波長変更手段として採用している第１（第２、第３）入射光波長変更手段が、第１（第２、第３）発光素子列と第１（第２、第３）透明部材との間の空間に配置されるため、構成の自由度がきわめて高く、特性を自在に調整することができる。
【００３１】
従って、第１光選択膜及び／又は第２光選択膜においてＰ偏光が透過から反射へ切り替わる際の波長とＳ偏光が透過から反射へ切り替わる際の波長との差異領域（中間領域）が、第１光選択膜及び／又は第２光選択膜の層構成によって変動する場合でも、その差異領域（中間領域）の変動に対応させた第１（第２、第３）入射光波長変更手段を容易に設けることができ、感光材料への露光の際における混色を防止して画質低下を防ぐことができる。
【００３２】
請求項９に記載の発明は、請求項８に記載の画像露光装置において、
前記第１、第２及び第３入射光波長変更手段は、
前記第１、第２及び第３発光素子列の出射面に露出させて設けられる光選択膜であることを特徴とする。
【００３３】
請求項９記載の発明によれば、第１（第２、第３）入射光波長変更手段として、第１（第２、第３）発光素子列の出射面に露出させて設けられる光選択膜を採用しており、この光選択膜は空気との界面を有するため、所望の特性を有する層構成を得るための労力を省くことができる。また、第１光選択膜及び／又は第２光選択膜の層構成に起因して前記差異領域が変動する場合においても、その差異領域の変動に対応させた光選択膜を容易に設けることができ、感光材料への露光の際における混色を防止して画質低下を防ぐことができる。
【００３４】
請求項１０に記載の発明は、請求項８に記載の画像露光装置において、
前記第１、第２及び第３入射光波長変更手段は、
前記第１、第２及び第３発光素子列の出射面に設けられる吸収フィルタであることを特徴とする。
【００３５】
請求項１０記載の発明によれば、第１（第２、第３）入射光波長変更手段として、第１（第２、第３）発光素子列の出射面に設けられる吸収フィルタを採用している。従って、第１光選択膜及び／又は第２光選択膜の層構成に起因して前記差異領域が変動する場合においても、その差異領域の変動に対応させた吸収フィルタを採用するだけでよいので、感光材料への露光の際における混色の防止をきわめて安価に実現することができる。
【００３６】
請求項１１に記載の発明は、請求項８に記載の画像露光装置において、
前記第１、第２及び第３入射光波長変更手段は、
前記第１、第２及び第３透明部材の表面に露出させて設けられる光選択膜であることを特徴とする。
【００３７】
請求項１１記載の発明によれば、第１（第２、第３）入射光波長変更手段として、第１（第２、第３）透明部材の表面に露出させて設けられる光選択膜を採用しており、この光選択膜は空気との界面を有するため、所望の特性を有する層構成を得るための労力を省くことができる。また、第１光選択膜及び／又は第２光選択膜の層構成に起因して前記差異領域が変動する場合においても、その差異領域の変動に対応させた光選択膜を容易に設けることができ、感光材料への露光の際における混色を防止して画質低下を防ぐことができる。
【００３８】
請求項１２に記載の発明は、請求項８に記載の画像露光装置において、
前記第１、第２及び第３入射光波長変更手段は、
前記第１、第２及び第３透明部材の表面に設けられる吸収フィルタであることを特徴とする。
【００３９】
請求項１２記載の発明によれば、第１（第２、第３）入射光波長変更手段として、第１（第２、第３）透明部材の表面に設けられる吸収フィルタを採用している。従って、第１光選択膜及び／又は第２光選択膜の層構成に起因して前記差異領域が変動する場合においても、その差異領域の変動に対応させた吸収フィルタを採用するだけでよいので、感光材料への露光の際における混色の防止をきわめて安価に実現することができる。
【００４０】
請求項１３に記載の発明は、請求項１から１２の何れか一項に記載の画像露光装置において、
前記第１光は赤色光であり、
前記第２光は青色光であり、
前記第３光は緑色光であることを特徴とする。
【００４１】
【発明の実施の形態】
以下、図を参照して本発明の実施の形態を詳細に説明する。本実施の形態では、感光材料に所定の露光を行う画像露光装置について説明することとする。
【００４２】
［第１の実施の形態］
まず、図１ないし図３を参照して、第１の実施の形態に係る画像露光装置の全体構成について説明する。ここで、図１は、第１の実施の形態に係る画像露光装置の主要部を示す概略斜視図であり、図２は、第１の実施の形態に係る画像露光装置の全体構成を示す概略側面図であり、図３は、第１の実施の形態に係る画像露光装置の主要部の構成を示す概略側面図である。
【００４３】
本実施の形態に係る画像露光装置は、図１及び図２に示すように、印画紙１０をロール状に巻回させて保持するペーパーマガジン１１と、印画紙１０を所定の搬送速度で搬送する駆動ローラ１２ａ、１２ｂ、１２ｃ及び１２ｄと、露光された印画紙１０を所定の大きさに切断するカッター１３と、を備えている。また、印画紙１０は、感光材料である。
【００４４】
また、本実施の形態に係る画像露光装置は、図１及び図３に示すように、第１色（赤）について露光を行うアレイ状の発光素子で構成された第１アレイ光源２１と、第２色（青）について露光を行うアレイ状の発光素子で構成された第２アレイ光源２２と、第３色（緑）について露光を行うアレイ状の発光素子で構成された第３アレイ光源２３とを備えている。
【００４５】
第１アレイ光源２１から出射される第１光（赤）の波長領域は、６２０〜６８０ｎｍの範囲に設定されている。また、第２アレイ光源２２から出射される第２光（青）の波長領域は、４２０〜４８０ｎｍの範囲に設定されている。そして、第３アレイ光源２３から出射される第３光（緑）の波長領域は、５２０〜５８０ｎｍの範囲に設定されている。
【００４６】
ここで、アレイ光源とは、各画素に相当する部分で独立して発光制御が可能となっている発光素子列のことを意味するものである。本実施の形態では、アレイ光源として、画素毎に独立して発光制御可能な複数の発光素子（ＬＥＤなど）からなる発光素子列を採用している。
【００４７】
なお、感光材料である印画紙１０は、波長の短い光に対して高感度とされている。具体的には、波長の最も短い第２光（青）に対する感度と比較すると、第３光（緑）に対する感度は約１０分の１であり、波長の最も長い第１光（赤）に対する感度は約１００分の１である。このため、第１アレイ光源２１から出射される第１光（赤）の光量を最大に設定しておく。
【００４８】
また、本実施の形態に係る画像露光装置は、図１及び図３に示すように、記録色毎のアレイ光源からの光束を混合して各記録色の光束を同一経路で出射させるダイクロイックプリズム（光混合手段）３０と、このダイクロイックプリズム３０で混合された各記録色の光束を感光材料に集束させて露光するセルフォックレンズアレイ（光集束手段）４０と、を備えている。
【００４９】
ダイクロイックプリズム３０は、長尺の三角柱状の第１透明部材３１、長尺の五角柱状の第２透明部材３２、及び、長尺の四角柱状の第３透明部材３３を備え、各透明部材の長尺の側面同士が接合されて構成されたものである。
【００５０】
各透明部材の材料としては、可視領域の波長の光線に対して優れた透過性を有するホウケイ酸ガラスなどを挙げることができる。本実施の形態では、第１透明部材３１、第２透明部材３２及び第３透明部材３３の材料として「ＢＫ７」（商品名：ショットグラス社製）を採用している。
【００５１】
本実施の形態においては、各アレイ光源の長さに合わせてダイクロイックプリズム３０の長さ（図１のＬ）を約１００ｍｍに設定している。また、集光効率を高める目的で、ダイクロイックプリズムの高さ（図３のＨ）を約１５ｍｍに設定している。すなわち、ダイクロイックプリズム３０は、全体として細長い柱状体とされている。
【００５２】
第１透明部材３１の第１光（赤）の入射面３１ａには、第１板状ガラス部材３８Ａが接合されており、第１板状ガラス部材３８Ａの第１光（赤）の入射面には、第１光（赤）の一部の波長領域（６４０〜６８０ｎｍ）に対して９０％以上の透過率を有する第１入射光選択膜３９Ａが設けられている。第１入射光選択膜３９Ａは、本発明における第１入射光波長変更手段である。第１入射光選択膜３９Ａによって、第１アレイ光源２１から出射された第１光（赤）の一部の波長領域（６４０〜６８０ｎｍ）のみが第１透明部材３１に入射することとなる。
【００５３】
また、第２透明部材３２の第２光（青）の入射面３２ａには、第２板状ガラス部材３８Ｂが接合されており、第２板状ガラス部材３８Ｂの第２光（青）の入射面には、第２光（青）の一部の波長領域（４２０〜４５０ｎｍ）に対して９０％以上の透過率を有する第２入射光選択膜３９Ｂが設けられている。第２入射光選択膜３９Ｂは、本発明における第２入射光波長変更手段である。第２入射光選択膜３９Ｂによって、第２アレイ光源２２から出射された第２光（青）の一部の波長領域（４２０〜４５０ｎｍ）のみが第２透明部材３２に入射することとなる。
【００５４】
また、第３透明部材３３の第３光（緑）の入射面３３ａには、第３板状ガラス部材３８Ｃが接合されており、第３板状ガラス部材３８Ｃの第３光（緑）の入射面には、第３光（緑）の一部の波長領域（５３０〜５７０ｎｍ）に対して９０％以上の透過率を有する第３入射光選択膜３９Ｃが設けられている。第３入射光選択膜３９Ｃは、本発明における第３入射光波長変更手段である。第３入射光選択膜３９Ｃによって、第３アレイ光源２３から出射された第３光（緑）の一部の波長領域（５３０〜５７０ｎｍ）のみが第３透明部材３３に入射することとなる。
【００５５】
なお、第１透明部材３１の入射面３１ａ、第２透明部材３２の入射面３２ａ及び第３透明部材３３の入射面３３ａは、各々、第１板状ガラス部材３８Ａとの接合面、第２板状ガラス部材３８Ｂとの接合面及び第３板状ガラス部材３８Ｃとの接合面であるので、非研磨面とされている。また、第１入射光選択膜３９Ａ〜第３入射光選択膜３９Ａは、所定の金属膜の蒸着によって設けられる。
【００５６】
また、第１透明部材３１の一の側面３１ｂと、第２透明部材３２の一の側面３２ｂと、が接合されて、第１接合面３４が形成されている。この第１接合面３４には、波長に応じて光を選択的に透過または反射させる第１光選択膜３５が設けられている。この第１光選択膜３５は、第１光（赤）を透過させるとともに、第２光（青）を反射させるように機能する。第１光選択膜３５は、所定の金属膜の蒸着によって設けられる。
【００５７】
また、第２透明部材３２の他の側面３２ｃと第３透明部材３３の一の側面３３ｂとが接合されて第２接合面３６が形成されている。この第２接合面３６には、波長に応じて光を選択的に透過または反射させる第２光選択膜３７が設けられている。この第２光選択膜３７は、第１光（赤）及び第２光（青）を透過させるとともに、第３光（緑）を反射させるように機能する。第２光選択膜３７は、所定の金属膜の蒸着によって設けられる。
【００５８】
これら第１光選択膜３５及び第２光選択膜３７が有する特性（光の透過率）を示す特性図を、図４に示した。図４には、第１光選択膜３５におけるＰ偏光及びＳ偏光の透過率を示す曲線と、第２選択膜３７におけるＰ偏光及びＳ偏光の透過率を示す曲線と、の計４種類の曲線が示されている。なお、図４においては、縦軸に透過率を、横軸に波長（ｎｍ）を、各々採用している。
【００５９】
図４に示されるとおり、第１光選択膜３５は、波長６２０〜６８０ｎｍの領域（すなわち第１光（赤）の全波長領域）において、Ｐ偏光及びＳ偏光の双方に対して高い透過率を有している。一方、第１光選択膜３５は、波長４２０〜４７０ｎｍの領域（すなわち第２光（青）の全波長領域）において、Ｐ偏光及びＳ偏光の双方に対して低い透過率を有している。すなわち、第１光選択膜３５は、第２光（青）の全波長領域において、Ｐ偏光及びＳ偏光の双方に対して高い反射率を有している。
【００６０】
このため、第１アレイ光源２１から出射される第１光（赤）の偏光面が揃っておらずＰ偏光とＳ偏光とが入り交じっている場合においても、第１光選択膜３５において、第１光（赤）を良好に透過させることができる。また、第２アレイ光源２２から出射される第２光（青）の偏光面が揃っておらずＰ偏光とＳ偏光とが入り交じっている場合においても、第１光選択膜３５において、第２光（青）を良好に反射させることができる。
【００６１】
また、図４に示されるとおり、第２光選択膜３７は、波長６３５ｎｍ以上の領域（すなわち第１光（赤）の一部の波長領域）と、波長４６０ｎｍ以下の領域（すなわち第２光（青）の一部の波長領域）と、において、Ｐ偏光及びＳ偏光の双方に対して高い透過率を有している。一方、第２光選択膜３７は、波長５２０〜５９０ｎｍの領域（すなわち第３光（緑）の一部の波長領域）において、Ｐ偏光及びＳ偏光の双方に対して低い透過率を有している。すなわち、第２光選択膜３７は、第３光（緑）の一部の波長領域において、Ｐ偏光及びＳ偏光の双方に対して高い反射率を有している。
【００６２】
本実施の形態においては、図４に示すとおり、第２光選択膜３７でＰ偏光が反射から透過へ切り替わる際の波長（約５９０ｎｍ）と、第２光選択膜３７でＳ偏光が反射から透過へ切り替わる際の波長（約６３５ｎｍ）とに、差異が生じている。これら波長間の差異領域（波長約５９０〜約６３５ｎｍ）を、以下、「第１差異領域Ａ」と称することとする。ここで、第２光選択膜３７でＰ偏光（Ｓ偏光）が反射から透過へ切り替わる際の波長とは、第２光選択膜３７の透過率が０％から徐々に上昇して５０％に達した時点での波長を意味する。
【００６３】
第１差異領域Ａは、Ｐ偏光とＳ偏光とが平均化される「中間領域」であり、本来の分光特性を得ることができない領域である。第１差異領域Ａは、緑色光と赤色光とが混在する波長領域内に存在しているため、第１光（赤）の波長領域に第１差異領域Ａが含まれていると、印画紙１０への露光の際に混色を引き起こし、画質が低下してしまう場合がある。従って、本実施の形態に係る画像露光装置においては、第１光（赤）の波長領域のうち、第１差異領域Ａに含まれる波長領域をカットする波長変更手段を設けている。
【００６４】
この波長変更手段とは、すでに述べた第１入射光選択膜３９Ａである。すなわち、第１光選択膜３９Ａによって、第１アレイ光源２１から出射された第１光（赤）（波長６２０〜６８０ｎｍ）の一部の波長領域（６４０〜６８０ｎｍ）のみが透過し、この一部の波長領域（６４０〜６８０ｎｍ）のみが第１透明部材３１に入射することとなる。この波長領域（波長６４０〜６８０ｎｍ）は、図４に示した第１差異領域Ａ（波長約５９０〜約６３５ｎｍ）に含まれていない。
【００６５】
すなわち、第１光（赤）の波長領域のうち、第１差異領域Ａに含まれる波長領域をカットすることができるため、印画紙１０への露光の際における混色を防ぎ、画質低下を防止することができる。
【００６６】
また、本実施の形態においては、図４に示すとおり、第２光選択膜３７でＰ偏光が透過から反射へ切り替わる際の波長（約５２０ｎｍ）と、第２光選択膜３７でＳ偏光が透過から反射へ切り替わる際の波長（約４６０ｎｍ）とにも、差異が生じている。これら波長間の差異領域（波長約４６０〜約５２０ｎｍ）を、以下、「第２差異領域Ｂ」と称することとする。ここで、第２光選択膜３７でＰ偏光（Ｓ偏光）が透過から反射へ切り替わる際の波長とは、第２光選択膜３７の透過率が１００％から徐々に低下して５０％に達した波長を意味する。
【００６７】
第２差異領域Ｂは、Ｐ偏光とＳ偏光とが平均化される「中間領域」であり、本来の分光特性を得ることができない領域である。第２差異領域Ｂは、青色光と緑色光とが混在する波長領域内に存在しているため、第２光（青）の波長領域に第２差異領域Ｂが含まれていると、印画紙１０への露光の際に混色を引き起こし、画質が低下してしまう場合がある。従って、本実施の形態に係る画像露光装置においては、第２光（青）の波長領域のうち、第２差異領域Ｂに含まれる波長領域をカットする波長変更手段を設けている。
【００６８】
この波長変更手段とは、すでに述べた第２入射光選択膜３９Ｂである。すなわち、第２入射光選択膜３９Ｂによって、第２アレイ光源２２から出射された第２光（青）（波長４２０〜４８０ｎｍ）の一部の波長領域（４２０〜４５０ｎｍ）のみが透過し、この一部の波長領域（４２０〜４５０ｎｍ）のみが第２透明部材３２に入射することとなる。この波長領域（波長４２０〜４５０ｎｍ）は、図４に示した第２差異領域Ｂ（波長約４６０〜約５２０ｎｍ）に含まれていない。
【００６９】
すなわち、第２光（青）の波長領域のうち、第２差異領域Ｂに含まれる波長領域をカットすることができるため、印画紙１０への露光の際における混色を防ぎ、画質低下を防止することができる。
【００７０】
ここで、第２アレイ光源２２から出射された第２光（青）（波長４２０〜４７０ｎｍ）が第２入射光選択膜３９Ｂを通過するときに、若干光量が低下するが、前記したように第２光（青）に対する印画紙１０の感度は良好であるため、総体的にみれば、光の利用効率の低下を防ぐことができる。
【００７１】
また、本実施の形態においては、波長変更手段である第３入射光選択膜３９Ｃによって、第３アレイ光源２３から出射された第３光（緑）（波長５１０〜５９０ｎｍ）の一部の波長領域（５３０〜５７０ｎｍ）のみが透過し、この一部の波長領域（５３０〜５７０ｎｍ）のみが第３透明部材３３に入射することとなる。この波長領域（波長５３０〜５７０ｎｍ）は、図４に示した第１差異領域Ａ（波長約５９０〜約６３５ｎｍ）及び第２差異領域Ｂ（波長約４６０〜約５２０ｎｍ）の何れにも含まれていない。
【００７２】
すなわち、第３光（緑）の波長領域のうち、第１差異領域Ａ及び第２差異領域Ｂに含まれる波長領域をカットすることができるため、印画紙１０への露光の際における混色を防ぎ、画質低下を防止することができる。
【００７３】
これら第１入射光選択膜３９Ａ、第２入射光選択膜３９Ｂ及び第３入射光選択膜３９Ｃは、空気との界面を有するため、ダイクロイックプリズム３０内に光選択膜を設けるときのように接合面による干渉を考慮する必要がない。従って、所望の特性を有する層構成を得るための労力を省くことができる。
【００７４】
なお、各透明部材の側面同士を接合する際、及び、各透明部材に板状ガラス部材を接合する際には、接着剤を用いることができる。接着剤の種類としては、アクリル系樹脂（特に、アクリル系紫外線硬化樹脂）などを挙げることができる。
【００７５】
また、第１光選択膜３５を設けるには、まず、第１透明部材３１の一の側面３１ｂまたは第２透明部材３２の一の側面３２ｂに所定の金属膜を蒸着によって設ける。次いで、第１透明部材３１の一の側面３１ｂと第２透明部材３２の一の側面３２ｂとを接着剤によって接合する。
【００７６】
また、第２光選択膜３７を設けるには、まず、第２透明部材３２の他の側面３２ｃまたは第３透明部材３３の一の側面３３ｂに所定の金属膜を蒸着によって設ける。次いで、第２透明部材３２の他の側面３２ｃまたは第３透明部材３３の一の側面３３ｂとを接着剤によって接合する。
【００７７】
次に、このようにして構成されたダイクロイックプリズム３０を用いた光混合の手順を説明する。
【００７８】
まず、第１アレイ光源２１から出射される第１光（赤）を第１透明部材３１で、第２アレイ光源２２から出射される第２光（青）を第２透明部材３２で、第３アレイ光源２３から出射される第３光（緑）を第３透明部材３３で、それぞれ受ける。次いで、第１光選択膜３５によって、第１光（赤）を第２透明部材３１側に透過させるとともに、第１光選択膜３５を透過させた第１光（赤）と同じ方向に第２光（青）を反射させる。続いて、第２光選択膜３７によって、第１光（赤）及び第２光（青）を第３透明部材３３側に透過させて出射させるとともに、第２光選択膜３７を透過させて出射させる第１光（赤）及び第２光（青）と同じ方向に第３光（緑）を反射させて出射させる。以上の手順により、光混合を行うことができる。
【００７９】
また、ダイクロイックプリズム３０で光混合された出射光は、図１及び図２に示すように、光集束手段であるセルフォックレンズアレイ４０により、印画紙１０に集束して露光するように構成されている。
【００８０】
また、図５は、第１の実施の形態に係る画像露光装置の電気的構成を示す機能ブロック図である。なお、この図５においては、すでに説明した図１ないし図３と同一の構成には同一番号を付してある。
【００８１】
図５に示すように、本実施の形態に係る画像露光装置は、各部を制御する制御手段としてのＣＰＵ５０と、外部からの画像データを受けて色別のアレイ光源駆動用の画像信号を生成するヘッドドライバコントロール回路（ＨＤＣ回路）６０と、ＨＤＣ回路３１からの第１の色の画像信号を受けて階調に応じて第１アレイ光源２１の発光素子を発光させる発光信号を生成するヘッドドライバ回路（ＨＤ回路）７１と、ＨＤＣ回路３２からの第２の色の画像信号を受けて階調に応じて第２アレイ光源２２の発光素子を発光させる発光信号を生成するヘッドドライバ回路（ＨＤ回路）７２と、ＨＤＣ回路３３からの第３の色の画像信号を受けて階調に応じて第３アレイ光源２３の発光素子を発光させる発光信号を生成するヘッドドライバ回路（ＨＤ回路）７３と、駆動モータや駆動ローラ１２ａ、１２ｂ、１２ｃ及び１２ｄなどからなる印画紙搬送機構８０とを備えている。
【００８２】
ここで、図５に示したように構成された本実施の形態に係る画像露光装置の動作説明を行う。
【００８３】
まず、ＣＰＵ５０は印画紙搬送機構８０によって印画紙１０を所定の速度で送り出す。次いで、外部のカメラや画像処理回路などからのカラーの画像データは、ＨＤＣ回路６０において色別の画像信号に分解される。この場合に、従来では、アレイ光源の配置と印画紙１０の搬送速度に応じて色ごとに発光のタイミングをずらしていたが、第１の実施の形態例においてはタイミングをずらす必要はない。
【００８４】
すなわち、色別の画像信号を、同じタイミングでＨＤ回路７１ないし７３に供給すればよい。例えば、ＨＤＣ回路６０はＲ、Ｂ、Ｇに色分解を行って、Ｒ画像信号をＨＤ回路７１に、Ｂ画像信号をＨＤ回路７２に、Ｇ画像信号をＨＤ回路７３に供給する。
【００８５】
次いで、ＨＤＣ回路６０から同じタイミングで色別の画像信号を受けたＨＤ回路７１〜７３は、画像信号の階調に応じてアレイ光源の発光素子を発光させる発光信号を生成する。このような発光信号をＨＤ回路７１〜７３より受けた第１アレイ光源２１〜第３アレイ光源２３は、それぞれ同じタイミングで、色別の画像信号に応じた発光を行う。
【００８６】
このような第１アレイ光源２１〜第３アレイ光源２３における同一タイミングの発光は、複数の入射端からダイクロイックプリズム３０内に入射する。そして、ダイクロイックプリズム３０の第１光選択膜３５及び第２光選択膜３７における光の透過及び反射により、複数の色の入射光が混合されて一つの出射端から出射光として出力される。
【００８７】
すなわち、従来は、各アレイ光源が複数列であるためのタイミング調整、ＲＢＧ各色別配置用タイミング調整、及び、各色の露光を行う搬送面内の搬送方向と垂直な方向への移動を抑える機構を必要としていたが、本実施の形態では不要になる。
【００８８】
従って、記録色ごとのアレイ光源からの光束は１つにまとめられて１ラインとしての露光がなされるので、光量の損失無くプリズムによる光混合を行うと共に、駆動回路の構成やタイミング制御を容易にし、搬送速度にムラが生じても色ずれを生じることがない画像露光装置を実現することができる。すなわち、レーザビームのように拡散せずに遠距離まで到達する光ビームとは異なって拡散性の強い光束であるにもかかわらず、印画紙１０上で各アレイ光源からの光束を一致させることが可能になる。
【００８９】
画像データに基づいて露光が完了した印画紙１０は、カッター１３により所定の大きさに切断されて、図示していない現像装置で現像される。
【００９０】
以上説明した実施の形態に係る画像露光装置においては、第１入射光選択膜３９Ａ（波長変更手段）により、第１アレイ光源２１から出射した第１光（赤）の波長領域から、第１差異領域Ａに含まれる波長領域をカットすることができるので、印画紙１０への露光の際における混色を防ぎ、画質低下を防止することができる。また、第１入射光選択膜３９Ａを採用することにより、ダイクロイックプリズム３０の内部に複雑な層構成を有する光選択膜を設ける必要がなくなる。この結果、光選択膜を設けるための労力及びコストを低減させることができる。
【００９１】
また、本実施の形態に係る画像露光装置においては、第２入射光選択膜３９Ｂ（波長変更手段）により、第２アレイ光源２２から出射した第２光（青）の波長領域から、第２差異領域Ｂに含まれる波長領域をカットすることができるので、印画紙１０への露光の際における混色を防ぎ、画質低下を防止することができる。また、第２入射光選択膜３９Ｂを採用することにより、ダイクロイックプリズム３０の内部に複雑な層構成を有する光選択膜を設ける必要がなくなる。この結果、光選択膜を設けるための労力及びコストを低減させることができる。
【００９２】
また、本実施の形態に係る画像露光装置においては、第３入射光選択膜３９Ｃ（波長変更手段）により、第３アレイ光源２３から出射した第３光（緑）の波長領域から、第１差異領域Ａ及び第２差異領域Ｂに含まれる波長領域をカットすることができるので、印画紙１０への露光の際における混色を防ぎ、画質低下を防止することができる。また、第３入射光選択膜３９Ｃを採用することにより、ダイクロイックプリズム３０の内部に複雑な層構成を有する光選択膜を設ける必要がなくなる。この結果、光選択膜を設けるための労力及びコストを低減させることができる。
【００９３】
また、本実施の形態に係る画像露光装置おいては、波長変更手段として、第１透明部材３１〜第３透明部材３３の表面に露出させて設けられる第１入射光選択膜３９Ａ〜第３入射光選択膜３９Ｃを採用しており、これら第１入射光選択膜３９Ａ〜第３入射光選択膜３９Ｃは空気との界面を有するため、所望の特性を有する層構成を得るための労力を省くことができる。
【００９４】
また、ダイクロイックプリズム３０内に設けられた第１光選択膜３５及び／又は第２光選択膜３７の層構成に起因して第１差異領域Ａ及び／又は第２差異領域Ｂが変動した場合においても、その差異領域の変動に対応させた第１入射光選択膜３９Ａ〜第３入射光選択膜３９Ｃを容易に設けることができ、印画紙１０への露光の際における混色を防止して画質低下を防ぐことができる。
【００９５】
［第２の実施の形態］
次に、図６を用いて、第２の実施の形態について説明する。本実施の形態に係る画像露光装置は、第１の実施の形態に係る画像露光装置において、第１〜第３入射光波長変更手段の構成のみを変更したものである。このため、重複する構成や動作については説明を省略する。また、第１の実施の形態と実質的に同一の部材には、第１の実施の形態と同一の符号を付すこととする。
【００９６】
本実施の形態においては、図６に示すように、第１アレイ光源２１の出射面２１ａに第１板状ガラス部材３８Ａを接合し、第１板状ガラス部材３８Ａの第１光（赤）の出射面に、第１光（赤）の一部の波長領域（６４０〜６８０ｎｍ）に対して９０％以上の透過率を有する第１入射光選択膜３９Ａを設けている。第１入射光選択膜３９Ａは、本発明における第１入射光波長変更手段である。第１入射光選択膜３９Ａによって、第１アレイ光源２１から出射された第１光（赤）の一部の波長領域（６４０〜６８０ｎｍ）のみが第１透明部材３１に入射することとなる。
【００９７】
また、本実施の形態においては、図６に示すように、第２アレイ光源２２の出射面２２ａに第２板状ガラス部材３８Ｂを接合し、第２板状ガラス部材３８Ｂの第２光（青）の出射面に、第２光（青）の一部の波長領域（４２０〜４５０ｎｍ）に対して９０％以上の透過率を有する第２入射光選択膜３９Ｂを設けている。第２入射光選択膜３９Ｂは、本発明における第２入射光波長変更手段である。第２入射光選択膜３９Ｂによって、第２アレイ光源２２から出射された第２光（青）の一部の波長領域（４２０〜４５０ｎｍ）のみが第２透明部材３２に入射することとなる。
【００９８】
また、本実施の形態においては、図６に示すように、第３アレイ光源２３の出射面２３ａに第３板状ガラス部材３８Ｃを接合し、第３板状ガラス部材３８Ｃの第３光（青）の出射面に、第３光（緑）の一部の波長領域（５３０〜５７０ｎｍ）に対して９０％以上の透過率を有する第３入射光選択膜３９Ｃを設けている。第３入射光選択膜３９Ｃは、本発明における第３入射光波長変更手段である。第３入射光選択膜３９Ｃによって、第３アレイ光源２３から出射された第３光（緑）の一部の波長領域（５３０〜５７０ｎｍ）のみが第３透明部材３３に入射することとなる。
【００９９】
本実施の形態に係る画像露光装置においては、波長変更手段として、第１アレイ光源２１〜第３アレイ光源２３の出射面２１ａ〜２３ａに露出させて設けられる第１入射光選択膜３９Ａ〜第３入射光選択膜３９Ｃを採用しており、これら第１入射光選択膜３９Ａ〜第３入射光選択膜３９Ｃは空気との界面を有するため、所望の特性を有する層構成を得るための労力を省くことができる。
【０１００】
また、ダイクロイックプリズム３０内に設けられた第１光選択膜３５及び／又は第２光選択膜３７の層構成に起因して第１差異領域Ａ及び／又は第２差異領域Ｂが変動した場合においても、その差異領域の変動に対応させた第１入射光選択膜３９Ａ〜第３入射光選択膜３９Ｃを容易に設けることができ、印画紙１０への露光の際における混色を防止して画質低下を防ぐことができる。
【０１０１】
［第３の実施の形態］
次に、図７を用いて、第３の実施の形態について説明する。本実施の形態に係る画像露光装置は、第１及び第２の実施の形態に係る画像露光装置において採用した第１〜第３入射光波長変更手段に代えて出射光波長変更手段を採用したものであり、その他の構成や動作については第１及び第２の実施の形態と実質的に同一である。このため、重複する構成や動作については説明を省略する。また、第１及び第２の実施の形態と実質的に同一の部材には、第１及び第２の実施の形態と同一の符号を付すこととする。
【０１０２】
なお、本実施の形態においては、第１アレイ光源２１から出射される第１光（赤）の波長領域を６４０〜６８０ｎｍの範囲に設定するとともに、第３アレイ光源２３から出射される第３光（緑）の波長領域を５３０〜５７０ｎｍの範囲に設定している。また、第２アレイ光源２２から出射される第２光（青）の波長領域を、第１及び第２の実施の形態と同様に４２０〜４８０ｎｍの範囲に設定している。
【０１０３】
本実施の形態においては、図７に示すように、ダイクロイックプリズム３０の出射面３０ｄに板状ガラス部材３８Ｄを接合し、板状ガラス部材３８Ｄの出射面に、第２光（青）の一部の波長領域（４２０〜４５０ｎｍ）に対して９０％以上の透過率を有する出射光選択膜３９Ｄを設けている。出射光選択膜３９Ｄは、本発明における出射光波長変更手段である。出射光選択膜３９Ｄによって、第２アレイ光源２２から出射されダイクロイックプリズム３０を通過した第２光（青）の一部の波長領域（４２０〜４５０ｎｍ）のみが出射することとなる。
【０１０４】
本実施の形態においては、波長変更手段として、ダイクロイックプリズム３０の出射面３０ｄに露出させて設けられる出射光選択膜３９Ｄを採用しており、この出射光選択膜３９Ｄは空気との界面を有するため、所望の特性を有する層構成を得るための労力を省くことができる。
【０１０５】
また、ダイクロイックプリズム３０内に設けられた第１光選択膜３５及び／又は第２光選択膜３７の層構成に起因して第１差異領域Ａ及び／又は第２差異領域Ｂが変動した場合においても、その差異領域の変動に対応させた出射光選択膜３９Ｄを容易に設けることができ、印画紙１０への露光の際における混色を防止して画質低下を防ぐことができる。
【０１０６】
［第４の実施の形態］
次に、図８を用いて、第４の実施の形態について説明する。本実施の形態に係る画像露光装置は、第３の実施の形態に係る画像露光装置において採用した出射光波長変更手段の位置を変更したものであり、その他の構成や動作については第３の実施の形態と実質的に同一である。このため、重複する構成や動作については説明を省略する。また、第３の実施の形態と実質的に同一の部材には、第３の実施の形態と同一の符号を付すこととする。
【０１０７】
本実施の形態においては、図８に示すように、セルフォックレンズアレイ４０の出射面４０ａに板状ガラス部材３８Ｅを接合し、板状ガラス部材３８Ｅの出射面に、第２光（青）の一部の波長領域（４２０〜４５０ｎｍ）に対して９０％以上の透過率を有する出射光選択膜３９Ｅを設けている。出射光選択膜３９Ｅは、本発明における出射光波長変更手段である。出射光選択膜３９Ｅによって、第２アレイ光源２２から出射されダイクロイックプリズム３０を通過した第２光（青）の一部の波長領域（４２０〜４５０ｎｍ）のみが出射することとなる。
【０１０８】
本実施の形態においては、波長変更手段として、セルフォックレンズアレイ４０の出射面４０ａに露出させて設けられる出射光選択膜３９Ｅを採用しており、この出射光選択膜３９Ｅは空気との界面を有するため、所望の特性を有する層構成を得るための労力を省くことができる。
【０１０９】
また、ダイクロイックプリズム３０内に設けられた第１光選択膜３５及び／又は第２光選択膜３７の層構成に起因して第１差異領域Ａ及び／又は第２差異領域Ｂが変動した場合においても、その差異領域の変動に対応させた出射光選択膜３９Ｅを容易に設けることができ、印画紙１０への露光の際における混色を防止して画質低下を防ぐことができる。
【０１１０】
なお、第１及び第２の実施の形態においては、第１〜第３入射光波長変更手段として、第１板状ガラス部材３８Ａ〜第３板状ガラス部材３８Ｃの表面に各々蒸着により設けた第１入射光選択膜３９Ａ〜第３入射光選択膜３９Ｃを採用したが、他の手段を採用することもできる。例えば、第１入射光選択膜３９Ａ〜第３入射光選択膜３９Ｃと同様の光波長選択機能を有する吸収フィルタを、第１透明部材３１〜第３透明部材３３の表面に直接貼着して、第１〜第３入射光波長変更手段として機能させることもできる。
【０１１１】
このような吸収フィルタを第１〜第３入射光波長変更手段として採用した場合には、複数の板状ガラス部材を設ける必要がなくなり、しかも、かかる吸収フィルタはきわめて安価であるので、所望の波長制御を達成するためのコストを格段に削減することができる。また、板状ガラス部材の表面に蒸着する手間・費用を省くことができる。
【０１１２】
また、第３及び第４の実施の形態においては、出射光波長変更手段として、板状ガラス部材３８Ｄ、３８Ｅの表面に蒸着により設けた出射光選択膜３９Ｄ、３９Ｅを採用したが、他の手段を採用することもできる。例えば、出射光選択膜３９Ｄ、３９Ｅと同様の光波長選択機能を有する吸収フィルタを、ダイクロイックプリズム３０の出射面又はセルフォックレンズアレイ４０の出射面に直接貼着して、出射光波長変更手段として機能させることもできる。
【０１１３】
このような吸収フィルタを出射光波長変更手段として採用した場合には、板状ガラス部材を設ける必要がなくなり、しかも、かかる吸収フィルタはきわめて安価であるので、所望の波長制御を達成するためのコストを格段に削減することができる。また、板状ガラス部材の表面に蒸着する手間・費用を省くことができる。
【０１１４】
また、第３及び第４の実施の形態においては、第２光（青）の波長制御を行う出射光選択膜３９Ｄ、３９Ｅを設けたが、これに限らず、第１光（赤）及び第３光（緑）の波長制御を行う出射光選択膜を設けることもできる。
【０１１５】
また、第１〜第４の実施の形態において採用した波長変更手段を種々組み合わせて使用することもできる。例えば、第１光（赤）及び第３光（緑）の波長制御を行うための第１入射光選択膜３９Ａ及び第３入射光選択膜３９Ｃ（図３又は図６参照）と、第２光（青）の波長制御を行うための出射光選択膜３９Ｄ、３９Ｅ（図７又は図８参照）と、を併用することができる。
【０１１６】
また、第１〜第４の実施の形態においては、第２光選択膜３７においてＰ偏光が透過から反射へ切り替わる際の波長とＳ偏光が透過から反射へ切り替わる際の波長との差異領域（第１差異領域Ａ及び第２差異領域Ｂ）に、３種類の光の波長領域が含まれないようにする波長変更手段を採用したが、第１光選択膜３５においてＰ偏光が透過から反射へ切り替わる際の波長とＳ偏光が透過から反射へ切り替わる際の波長との差異領域（第３差異領域Ｃ：図４参照）に、３種類の光の波長領域が含まれないようにする波長変更手段を採用することもできる。
【０１１７】
【発明の効果】
請求項１に記載の発明によれば、波長変更手段により、第１、第２又は第３発光素子列から出射された第１、第２又は第３光の波長領域から、前記した差異領域（第１光選択膜及び／又は第２光選択膜においてＰ偏光が透過から反射へ切り替わる際の波長とＳ偏光が透過から反射へ切り替わる際の波長との差異領域）に含まれる波長領域をカットすることができるので、感光材料への露光の際における混色を防ぎ、画質低下を防止することができる。また、波長変更手段を採用することにより、光混合手段の内部に複雑な層構成を有する光選択膜を設ける必要がなくなる。この結果、光選択膜を設けるための労力及びコストを低減させることができる。
【０１１８】
請求項２に記載の発明によれば、波長変更手段として、光混合手段と光集束手段との間に配置される出射光波長変更手段を採用しており、この出射光波長変更手段は、光混合手段と光集束手段との間の空間に配置されるため、構成の自由度がきわめて高く、特性を自在に調整することができる。
【０１１９】
従って、第１光選択膜及び／又は第２光選択膜においてＰ偏光が透過から反射へ切り替わる際の波長とＳ偏光が透過から反射へ切り替わる際の波長との差異領域が、第１光選択膜及び／又は第２光選択膜の層構成によって変動した場合でも、その差異領域の変動に対応させた出射光波長変更手段を容易に設けることができ、感光材料への露光の際における混色を防止して画質低下を防ぐことができる。
【０１２０】
請求項３に記載の発明によれば、出射光波長変更手段として、光混合手段の出射面に露出させて設けられる光選択膜を採用しており、この光選択膜は空気との界面を有するため、所望の特性を有する層構成を得るための労力を省くことができる。また、第１光選択膜及び／又は第２光選択膜の層構成に起因して前記差異領域が変動した場合においても、その差異領域の変動に対応させた光選択膜を容易に設けることができ、感光材料への露光の際における混色を防止して画質低下を防ぐことができる。
【０１２１】
請求項４に記載の発明によれば、出射光波長変更手段として、光混合手段の出射面に設けられる吸収フィルタを採用している。従って、第１光選択膜及び／又は第２光選択膜の層構成に起因して前記差異領域が変動した場合においても、その差異領域の変動に対応させた吸収フィルタを採用するだけでよいので、感光材料への露光の際における混色の防止をきわめて安価に実現することができる。
【０１２２】
請求項５に記載の発明によれば、波長変更手段として、光集束手段と感光材料との間に配置される出射光波長変更手段を採用しており、この出射光波長変更手段は、光集束手段と感光材料との間の空間に配置されるため、構成の自由度がきわめて高く、特性を自在に調整することができる。
【０１２３】
従って、第１光選択膜及び／又は第２光選択膜においてＰ偏光が透過から反射へ切り替わる際の波長とＳ偏光が透過から反射へ切り替わる際の波長との差異領域が、第１光選択膜及び／又は第２光選択膜の層構成によって変動した場合でも、その差異領域の変動に対応させた出射光波長変更手段を容易に設けることができ、感光材料への露光の際における混色を防止して画質低下を防ぐことができる。
【０１２４】
請求項６に記載の発明によれば、出射光波長変更手段として、光集束手段の出射面に露出させて設けられる光選択膜を採用しており、この光選択膜は空気との界面を有するため、所望の特性を有する層構成を得るための労力を省くことができる。また、第１光選択膜及び／又は第２光選択膜の層構成に起因して前記差異領域が変動した場合においても、その差異領域の変動に対応させた光選択膜を容易に設けることができ、感光材料への露光の際における混色を防止して画質低下を防ぐことができる。
【０１２５】
請求項７に記載の発明によれば、出射光波長変更手段として、光集束手段の出射面に設けられる吸収フィルタを採用している。従って、第１光選択膜及び／又は第２光選択膜の層構成に起因して前記差異領域が変動した場合においても、その差異領域の変動に対応させた吸収フィルタを採用するだけでよいので、感光材料への露光の際における混色の防止をきわめて安価に実現することができる。
【０１２６】
請求項８に記載の発明によれば、波長変更手段として採用した第１（第２、第３）入射光波長変更手段が、第１（第２、第３）発光素子列と第１（第２、第３）透明部材との間の空間に配置されるため、構成の自由度がきわめて高く、特性を自在に調整することができる。
【０１２７】
従って、第１光選択膜及び／又は第２光選択膜においてＰ偏光が透過から反射へ切り替わる際の波長とＳ偏光が透過から反射へ切り替わる際の波長との差異領域が、第１光選択膜及び／又は第２光選択膜の層構成によって変動する場合でも、その差異領域の変動に対応させた第１（第２、第３）入射光波長変更手段を容易に設けることができ、感光材料への露光の際における混色を防止して画質低下を防ぐことができる。
【０１２８】
請求項９記載の発明によれば、第１（第２、第３）入射光波長変更手段として、第１（第２、第３）発光素子列の出射面に露出させて設けられる光選択膜を採用しており、この光選択膜は空気との界面を有するため、所望の特性を有する層構成を得るための労力を省くことができる。また、第１光選択膜及び／又は第２光選択膜の層構成に起因して前記差異領域が変動する場合においても、その差異領域の変動に対応させた光選択膜を容易に設けることができ、感光材料への露光の際における混色を防止して画質低下を防ぐことができる。
【０１２９】
請求項１０記載の発明によれば、第１（第２、第３）入射光波長変更手段として、第１（第２、第３）発光素子列の出射面に設けられる吸収フィルタを採用している。従って、第１光選択膜及び／又は第２光選択膜の層構成に起因して前記差異領域が変動する場合においても、その差異領域の変動に対応させた吸収フィルタを採用するだけでよいので、感光材料への露光の際における混色の防止をきわめて安価に実現することができる。
【０１３０】
請求項１１記載の発明によれば、第１（第２、第３）入射光波長変更手段として、第１（第２、第３）透明部材の表面に露出させて設けられる光選択膜を採用しており、この光選択膜は空気との界面を有するため、所望の特性を有する層構成を得るための労力を省くことができる。また、第１光選択膜及び／又は第２光選択膜の層構成に起因して前記差異領域が変動する場合においても、その差異領域の変動に対応させた光選択膜を容易に設けることができ、感光材料への露光の際における混色を防止して画質低下を防ぐことができる。
【０１３１】
請求項１２記載の発明によれば、第１（第２、第３）入射光波長変更手段として、第１（第２、第３）透明部材の表面に設けられる吸収フィルタを採用している。従って、第１光選択膜及び／又は第２光選択膜の層構成に起因して前記差異領域が変動する場合においても、その差異領域の変動に対応させた吸収フィルタを採用するだけでよいので、感光材料への露光の際における混色の防止をきわめて安価に実現することができる。
【図面の簡単な説明】
【図１】本発明の第１の実施の形態に係る画像露光装置の主要部の構成を示す概略斜視図である。
【図２】本発明の第１の実施の形態に係る画像露光装置の全体の構成を示す概略側面図である。
【図３】本発明の第１の実施の形態に係る画像露光装置における第１〜第３アレイ光源、ダイクロイックプリズム及びセルフォックレンズアレイの位置関係を示す側面図である。
【図４】本発明の第１の実施の形態に係る画像露光装置のダイクロイックプリズムの第１光選択膜及び第２光選択膜の特性を示す特性図である。
【図５】本発明の第１の実施の形態に係る画像露光装置の全体の電気的構成を示す機能ブロック図である。
【図６】本発明の第２の実施の形態に係る画像露光装置における第１〜第３アレイ光源、ダイクロイックプリズム及びセルフォックレンズアレイの位置関係を示す側面図である。
【図７】本発明の第３の実施の形態に係る画像露光装置における第１〜第３アレイ光源、ダイクロイックプリズム及びセルフォックレンズアレイの位置関係を示す側面図である。
【図８】本発明の第４の実施の形態に係る画像露光装置における第１〜第３アレイ光源、ダイクロイックプリズム及びセルフォックレンズアレイの位置関係を示す側面図である。
【図９】従来の画像露光装置の画像形成の様子を示す説明図である。
【図１０】従来のダイクロイックプリズムにより光混合を行う様子を示す説明図である。
【符号の説明】
１０      印画紙（感光材料）
２１      第１アレイ光源（第１発光素子列）
２１ａ    出射面
２２      第２アレイ光源（第２発光素子列）
２２ａ    出射面
２３      第３アレイ光源（第３発光素子列）
２３ａ    出射面
３０      ダイクロイックプリズム（光混合手段）
３０ｄ    出射面
３１      第１透明部材
３２      第２透明部材
３３      第３透明部材
３４      第１接合面
３５      第１光選択膜
３６      第２接合面
３７      第２光選択膜
３９Ａ    第１入射光選択膜（第１入射光波長変更手段、波長変更手段）
３９Ｂ    第２入射光選択膜（第２入射光波長変更手段、波長変更手段）
３９Ｃ    第３入射光選択膜（第３入射光波長変更手段、波長変更手段）
３９Ｄ    出射光選択膜（出射光波長変更手段、波長変更手段）
３９Ｅ    出射光選択膜（出射光波長変更手段、波長変更手段）
４０      セルフォックレンズアレイ（光集束手段）
４０ａ    出射面
【図１】
2004309899.tif 000003
【図２】
2004309899.tif 000004
【図３】
2004309899.tif 000005
【図４】
2004309899.tif 000006
【図５】
2004309899.tif 000007
【図６】
2004309899.tif 000008
【図７】
2004309899.tif 000009
【図８】
2004309899.tif 000010
【図９】
2004309899.tif 000011
【図１０】
2004309899.tif 000012